(57)【特許請求の範囲】
【請求項１】
天板の前後両端に脚体が折り畳み可能に設けられ、各脚体は左右一対の脚柱と両脚柱間に横架された踏桟とからなり、脚体には天板より上方に突出する手掛かり棒が設けられた可搬式作業台において、脚柱の上端部側に、上下方向に溝部を形成すると共に溝部の上下両端にロックピン係合用の切欠部を形成した取付金具が固定され、取付金具の溝部には中央部に手掛かり棒の下端が枢支軸によって上下方向回転可能に枢着され、溝部の上半部には天板上方に起立姿勢で突出する手掛かり棒の下端部が嵌合され、下半部には起立姿勢から反転して脚柱沿いに折り畳まれた手掛かり棒の下端部が嵌合されるようになっており、手掛かり棒の下端部には、ロック位置とロック解除位置との間を水平姿勢で上下にスライド可能なロックピンが貫通支持され、しかして手掛かり棒の下端部が溝部の上半部に嵌合した状態でロックピンがロック解除位置にある時は、手掛かり棒の回転が可能であるが、ロックピンをロック位置にスライドさせて溝部上半部の切欠部に係入させることにより、手掛かり棒は起立姿勢に固定され、また手掛かり棒の下端部が溝部の下半部に嵌合した状態でロックピンがロック解除位置にある時は手掛かり棒の回転が可能であるが、ロックピンをロック位置にスライドさせて溝部下半部の切欠部に係入させることによって、手掛かり棒は折畳姿勢に固定されるようになっている可搬式作業台において、
ロックピンは、手掛かり棒の下端部に設けられたロック位置及びロック解除位置において、ロックピンを挟持するバネ手段によって位置保持され、このバネ手段の付勢力に抗してロックピンを上下に押し引きすることにより、ロック位置とロック解除位置との間でスライド可能とされる可搬式作業台。
【請求項２】
手掛かり棒の枢支軸は、手掛かり棒の下端部を左右方向に貫通すると共に取付金具の左右両側壁を貫通していて、取付金具の左右両側壁のうち脚柱と隣接する側と反対側の側壁を貫通する枢支軸の外端部には、作業台が横転した時に作業台が受ける衝撃を緩和するためのクッション部材が取り付けられている請求項１に記載の可搬式作業台。
【発明の詳細な説明】
【技術分野】
【０００１】
本発明は、建物の建設現場等において天井の内装仕上げや天井内の配線、配管等の比較的高い場所で作業を行う時に使用する作業台に関するもので、特に、天板の前後両端に脚体が折り畳み可能に設けられ、各脚体は左右一対の脚柱と両脚柱間に横架された踏桟とからなり、脚体には天板より上方に突出する昇降補助用の手掛かり棒が設けられた可搬式の作業台に関する。
【背景技術】
【０００２】
天板より上方に突出する手掛かり棒が設けられた従来の可搬式作業台として、例えば下記特許文献１に記載されたものがある。この作業台では、手掛かり棒を、脚柱に沿う折り畳み状態と最上部の枢支点より上方に突出する伸展状態とにわたって回動可能に枢着し、手掛かり棒が最上部の枢支点より上方に突出する伸展状態にあっては、手掛かり棒は脚柱が前後方向に傾斜するにもかかわらず起立状態に伸展され、手掛かり棒が脚柱に沿う折り畳み状態にあっては、手掛かり棒は脚柱の前後方向の傾斜角度面に合わせて折り畳まれるよう手掛かり棒の回転軌跡を矯正する手段を設けてなるものである。
【先行技術文献】
【特許文献】
【０００３】
【特許文献１】特開平１１−１３１７８８号公報
【発明の概要】
【発明が解決しようとする課題】
【０００４】
上記特許文献に記載されているような作業台は、手掛かり棒の取付構造が非常に複雑で部品点数が多くなり、製作コストが高くつくという難点があった。
【０００５】
本発明は、上記の課題に鑑み、簡単な構造の取付金具によって手掛かり棒を使用位置と折畳位置とに位置変更可能な可搬式作業台を提供することを目的としている。
【課題を解決するための手段】
【０００６】
上記課題を解決するための手段を、後述する実施形態の参照符号を付して説明すると、請求項１に係る発明は、天板１の前後両端に脚体２，２が折り畳み可能に設けられ、各脚体２は左右一対の脚柱２ａ，２ａと両脚柱２ａ，２ａ間に横架された踏桟２ｂとからなり、脚体２には天板１より上方に突出する手掛かり棒５が設けられた可搬式作業台において、脚柱２ａの上端部側に、上下方向に溝部８を形成すると共に溝部８の上下両端にロックピン係合用の切欠部９，１０を形成した取付金具６が固定され、取付金具６の溝部８には中央部に手掛かり棒５の下端５ｏが枢支軸１１によって上下方向回転可能に枢着され、溝部８の上半部Ａには天板１上方に起立姿勢で突出する手掛かり棒５の下端部５ａが嵌合され、下半部Ｂには起立姿勢から反転して脚柱２ａ沿いに折り畳まれた手掛かり棒５の下端部５ａが嵌合されるようになっており、手掛かり棒５の下端部５ａには、ロック位置Ｌとロック解除位置Ｋとの間を水平姿勢で上下にスライド可能なロックピン１２が貫通支持され、しかして手掛かり棒５の下端部５ａが溝部８の上半部Ａに嵌合した状態でロックピン１２がロック解除位置Ｋにある時は、手掛かり棒５の回転が可能であるが、ロックピン１２をロック位置Ｌにスライドさせて溝部上半部Ａの切欠部９に係入させることにより、手掛かり棒５は起立姿勢に固定され、また手掛かり棒５の下端部５ａが溝部８の下半部Ｂに嵌合した状態でロックピン１２がロック解除位置Ｋにある時は手掛かり棒５の回転が可能であるが、ロックピン１２をロック位置Ｌにスライドさせて溝部下半部Ｂの切欠部１０に係入させることによって、手掛かり棒５は折畳姿勢に固定されるようになっている可搬式作業台において、ロックピン１２は、手掛かり棒５の下端部５ａに設けられたロック位置Ｌ及びロック解除位置Ｋにおいて、ロックピン１２を挟持するバネ手段１４によって位置保持され、このバネ手段１２の付勢力に抗してロックピン１２を上下に押し引きすることにより、ロック位置Ｌとロック解除位置Ｋとの間でスライド可能とされることを特徴とする。
【０００８】
請求項２は、請求項１に記載の可搬式作業台において、手掛かり棒５の枢支軸１１は、手掛かり棒５の下端部５ａを左右方向に貫通すると共に取付金具６の左右両側壁を貫通していて、取付金具６の左右両側壁のうち脚柱と隣接する側と反対側の側壁を貫通する枢支軸１１の外端部には、作業台が横転した時に作業台が受ける衝撃を緩和するためのクッション部材が取り付けられていることを特徴とする。
【発明の効果】
【０００９】
上記解決手段による発明の効果を、後述する実施形態の参照符号を付して説明すると、請求項１に係る発明によれば、脚柱２ａの上端部側に、溝部８を形成すると共に溝部８の上下両端にロックピン係合用の切欠部９，１０を形成した取付金具６が固定され、溝部８の中央部に手掛かり棒５が枢支軸１１によって上下方向回転可能に枢着され、溝部８の上半部Ａには天板１上方に起立姿勢で突出する手掛かり棒５の下端部５ａが嵌合され、下半部Ｂには起立姿勢から反転して脚柱２ａ沿いに折り畳まれた手掛かり棒５の下端部５ａが嵌合されるようになっていて、手掛かり棒５の下端部５ａには、ロック位置Ｌとロック解除位置Ｋとの間を水平姿勢で上下にスライド可能なロックピン１２が貫通支持され、手掛かり棒５の下端部５ａが溝部８の上半部Ａに嵌合してロックピン１２がロック解除位置Ｋにある時は、手掛かり棒５の回転が可能であるが、ロックピン１２をロック位置Ｌにスライドさせて溝部上半部Ａの切欠部９に係入させることにより、手掛かり棒５は起立姿勢に固定され、手掛かり棒５の下端部５ａが溝部下半部Ｂに嵌合してロックピン１２がロック解除位置Ｋにある時は、手掛かり棒５の回転が可能であるが、ロックピン１２をロック位置Ｌにスライドさせて溝部下半部Ｂの切欠部１０に係入させることにより、手掛かり棒５は折畳姿勢に固定されるようになっているから、簡単な構造の取付金具６に上下方向回転可能に枢着した手掛かり棒５の下端部に設けたロックピン１２を上下にスライド操作することによって、手掛かり棒５を起立姿勢の使用位置に簡単容易に固定することができるし、折畳姿勢での収納位置に簡単容易に固定することができる。
【００１０】
又、本発明によれば、ロックピン１２は、手掛かり棒５の下端部５ａに設けたロック位置Ｌ及びロック解除位置Ｋにおいて、ロックピン１２を挟持するバネ手段１４で位置保持され、このバネ手段１２の付勢力に抗してロックピン１２を上下に押し引きすることによってロック位置Ｌとロック解除位置Ｋとの間でスライド可能となっているから、ロックピン１２がロック位置Ｌとロック解除位置Ｋとの間を不測にスライドすることがなく、手掛かり棒５を使用位置及び収納位置で確実に固定できて、使用上の十分な安全を確保できる。
【００１１】
請求項２に係る発明によれば、角筒状手掛かり棒５の下端部５ａを左右方向に貫通すると共に、取付金具６の左右両側壁を貫通していて、この取付金具６の左右両側壁のうち脚柱２ａと隣接する側と反対側の側壁を貫通する枢支軸１１の外端部にクッション部材１７が取り付けてあるから、このクッション部材１７によって、作業台が横転した時に作業台が受ける衝撃を緩和すると共に、作業台の破損を防止することができる。
【図面の簡単な説明】
【００１２】
【図１】本発明に係る作業台の正面図である。
【図２】同作業台の側面図である。
【図３】手掛かり棒が起立姿勢にロックされている状態を示す斜視図である。
【図４】手掛かり棒が折畳姿勢にロックされている状態を示す斜視図である。
【図５】取付金具による手掛かり棒下端部の取付部分の拡大側面図である。
【図６】取付金具による手掛かり棒下端部の取付部分の拡大正面図で、ロックピンをロック解除位置にある状態を示す。
【図７】取付金具による手掛かり棒下端部の取付部分の拡大正面図で、ロックピンをロック位置にある状態を示す。
【図８】(a) は図６のＸ−Ｘ線断面図、(b) は(a) のＹ−Ｙ線断面図、(c) は手掛かり棒の下端部内に設けてあるバネ手段の配置状態、及び手掛かり棒の下端部側面に設けられたロックピンガイド孔を示す正面図である。
【発明を実施するための形態】
【００１３】
以下に本発明の好適な一実施形態を図面に基づいて説明すると、図１及び図２に示す作業台において、天板１の前後両端には、夫々梯子状の脚体２，２が、回転金具３により、天板１下面に平行に沿うように折り畳んだ閉脚状態と、図１に示す下広がり状に傾斜して起立した開脚状態との間で開閉可能に設けられ、天板１と各脚体２との間には途中で屈曲自在なステイ４が介装されている。各脚体２は、図２に示すように若干下広がり状に配置された左右一対の脚柱２ａ，２ａと、両脚柱２ａ，２ａ間に複数段に横架した踏桟２ｂとからなり、各脚柱２ａの上端部に、天板１よりも上方に突出する昇降補助棒としての手掛かり棒５が取付金具６によって取り付けられている。
【００１４】
取付金具６は、図２及び図５に示すように、脚柱２ａの上端部にスペーサ金具７を介して固定されている。この場合、左右の脚柱２ａ，２ａは下広がり状に配置されて、各脚柱２ａが一定角度傾斜しているため、図５に示すように、所定角度のスペーサ金具７を介して取付金具６を脚柱２ａに対し所定角度傾斜させて取り付けると共に、手掛かり棒５の下端部５ａをその上方部に対し所定角度傾斜させることによって、手掛かり棒５を天板１より上方に起立姿勢で突出伸展させるようにしている。
【００１５】
この取付金具６は、図３〜図６に示すように、両側板６ａ，６ｂと背面板６ｃとにより側面視がくの字状を成して上下方向に延びる溝部８を形成するように脚柱２ａにスペーサ金具７を介して取り付けられ、そして溝部８の両側板６ａ，６ｂの夫々上端及び下端にはロックピン係合用の切欠部９，９及び１０，１０が形成されている。尚、取付金具６は、スペーサ金具７を介して脚柱２ａの上端部に取り付けられるが、このスペーサ金具７は、回転金具３を脚柱２ａに取り付ける際に回転金具３と一緒に脚柱２ａに取り付けられるもので、図５に示すように、脚柱２ａ、回転金具３及びスペーサ金具７を貫通するボルト挿通孔２０にボルト２１を通して、スペーサ金具７に固定されたナット２２にねじ込んで取り付けられる。そして、取付金具６は、片方の側板６ａをスペーサ金具７に溶接又はリベット止めすることによって取り付けられる。
【００１６】
取付金具６の溝部８には上下方向中央部に、手掛かり棒５の下端５ｏが枢支軸１１によって上下方向回転可能に枢着され、この溝部８の上半部Ａには、天板１の上方に起立姿勢で突出する手掛かり棒５の下端部５ａが図３に示すように嵌合され、溝部８の下半部Ｂには起立姿勢から反転して脚柱２ａ沿いに折り畳まれた手掛かり棒５の下端部５ａが図４に示すように嵌合されるようになっている。
【００１７】
手掛かり棒５の下端部５ａには、図５〜図８に示すように、内部に設けたロック位置Ｌとロック解除位置Ｋとの間を水平姿勢で上下にスライド可能なロックピン１２が貫通支持されている。しかして、手掛かり棒５の下端部５ａが図６の実線図示のように、溝部８の上半部Ａに嵌合した状態でロックピン１２がロック解除位置Ｋにある時は、手掛かり棒５の回転が可能であるが、ロックピン１２をロック解除位置Ｋからロック位置Ｌへと下方にスライドさせて、ロックピン１２の両端部を溝部８の上半部Ａの切欠部９，９に係入させることにより、手掛かり棒５は起立姿勢にロックされ、また手掛かり棒５の下端部５ａが図６の仮想線図示のように、溝部８の下半部Ｂに嵌合した状態でロックピン１２がロック解除位置Ｋにある時は手掛かり棒５の回転が可能であるが、ロックピン１２をロック位置Ｌにスライドさせて、ロックピン１２の両端部を溝部下半部Ｂの切欠部１０，１０に係入させることにより、手掛かり棒５は折畳姿勢にロックされるようになっている。
【００１８】
手掛かり棒５は、図８の(a) から分かるように角筒状の金属押出形材からなるもので、この手掛かり棒５の下端部５ａには、左右側壁部ｍ，ｎの夫々所定位置に上下方向に長いガイド長孔１３，１３が形成されていて、ロックピン１２が両ガイド長孔１３，１３に上下スライド可能に貫通支持されている。そして、両ガイド長孔１３，１３の上端部（手掛かり棒５の下端５ｏから遠い方の端部）がロックピン１２のロック解除位置Ｋとなり、両ガイド長孔１３，１３の下端部（手掛かり棒５の下端５ｏに近い方の端部）がロック位置Ｌとなる。
【００１９】
また、このロックピン１２は、手掛かり棒５の下端部５ａに設けられたロック位置Ｌ及びロック解除位置Ｋにおいて、ロックピン１２を挟持するバネ手段１４によって位置保持され、このバネ手段１４の付勢力に抗してロックピン１２を上下に押し引きすることにより、ロック位置Ｌとロック解除位置Ｋとの間でスライドできるようになっている。
【００２０】
上記バネ手段１４は、図８の(b) 及び(c) に示すように、角筒状手掛かり棒５の下端部５ａ内に両側対称状に一定間隔で配置された一対の略々Ｃ字形板バネ１５，１５からなるもので、両Ｃ字形板バネ１５，１５間の上部側に形成されるロック解除位置用ピン挟持部１５ａ，１５ａと、両Ｃ字形板バネ１５，１５間の下部側に形成されるロック位置用ピン挟持部１５ｂ，１５ｂとを有し、ロック解除位置Ｋでは、ロックピン１２がロック解除位置用ピン挟持部１５ａ，１５ａにより挟持されてロック解除位置Ｋに保持され、ロック位置Ｌでは、ロック解除位置Ｋからロック位置Ｌへスライドしたロックピン１２がロック位置用ピン挟持部１５ｂ，１５ｂにより挟持されてロック位置Ｌに保持されるようになっている。
【００２１】
上記Ｃ字形板バネ１５，１５は、図８の(a) ，(b) に示すように、角筒状手掛かり棒５内に夫々リベットＲで固定されたコ字形のブラケット１９，１９に夫々内嵌された状態で同じくリベットＲによりブラケット１９，１９に取り付けられている。
【００２２】
上記ロックピン１２は、図５〜図７に示すように、頭無しのボルトからなるもので、角筒状手掛かり棒５の左右側壁部ｍ，ｎに設けられたガイド長孔１３，１３に挿通されて、その両端部には夫々、ワッシャー１６ａ付きのナット１６が螺合されている。各ナット１６のワッシャー１６ａの径は、図６及び図７から分かるように、取付金具６の両側板６ａ，６ｂの夫々上端及び下端に形成されたロックピン係合用切欠部９，１０の幅よりも十分大きいため、起立姿勢にある手掛かり棒５のロックピン１２が図６に示すロック解除位置Ｋから図７に示すロック位置Ｌにスライドした時に、各ワッシャー１６ａは各ロックピン係合用切欠部９の外側位置で切欠部９を保持している状態にあり、従って作業者によって手掛かり棒５が左右方向（枢支軸１１を中心とする手掛かり棒５の上下回転方向と直交する方向）に揺動されることがあっても、その手掛かり棒５の左右方向の揺動によって両側板６ａ，６ｂの上端側が開口変形したり切欠部９の付近６ｃ，６ｄ（図４参照）が変形するような事態の発生が防止されると共に、もし上記ワッシャー１６ａが備えていなければ、手掛かり棒５が左右に動揺した場合には、ロックピン１２が左右側壁部の上記ガイド長孔１３，１３及び両側板６ａ，６ｂの切欠部９，９から脱落する虞れが多分にある。この実施形態では、図５に示すように、外側のワッシャー１６ａとその内側のワッシャー１６ｂとはカラー１６ｃが介在され、これら３者がナット１６で堅固に固定されているが、ワッシャー１６ａとナット１６とが一体に形成されたものでもよい。
【００２３】
また、手掛かり棒５の下端５ｏを取付金具６に上下方向回転可能に枢着する枢支軸１１もボルトからなるもので、図５に示すように、角筒状手掛かり棒５の下端部５ａを左右方向に貫通すると共に、取付金具６の左右両側壁ｍ，ｎを貫通していて、この取付金具６の左右両側壁ｍ，ｎのうち脚柱２ａと隣接するがわの側壁ｍと反対側の側壁ｎを貫通する枢支軸１１の外端部であるボルト頭部１１ａには合成ゴムなどの弾性材料からなるクッション部材１７が、この枢支軸（ボルト）１１の外端部を被うように取り付けられている。このクッション部材１７を枢支軸（ボルト）１１の外端部に設けたことにより、作業台が横転した時に作業台が受ける衝撃を緩和すると共に、作業台の破損を防止することができる。枢支軸１１であるボルトの先端部にはナット１８が螺着されている。
【００２４】
次に、上述した手掛かり棒５の使用方法について説明する。
先ず、図４に示すように手掛かり棒５が取付金具６の溝部８の下半部Ｂに嵌合してロックピン１２がロック位置Ｌ（図７参照）にある状態から、ロックピン１２をバネ手段１４の付勢力に抗して押し下げてロック位置Ｌからロック解除位置Ｋへスライドさせることにより、折畳姿勢での手掛かり棒５のロックを解除し、枢支軸１１を中心に手掛かり棒５を上方に回転させる。
【００２５】
手掛かり棒５の上方への回転により、その下端部５ａが溝部８の上半部Ａに嵌合して、図６に実線で示すような状態とする。この状態から、ロックピン１２をバネ手段１４の付勢力に抗し引き上げてロック解除位置Ｋからロック位置Ｌへスライドさせることにより、ロックピン１２をロック位置Ｌにロックして、手掛かり棒５を起立姿勢に固定する。この状態は、図３及び図７の実線図示の通りである。
【００２６】
手掛かり棒５を収納する時は、図３及び図７の実線図示の状態から、ロックピン１２をバネ手段１４の付勢力に抗して引き上げてロック位置Ｌからロック解除位置Ｋへスライドさせることにより、起立姿勢での手掛かり棒５のロックを解除して、枢支軸１１を中心に手掛かり棒５を下方へ回転させ、図７の仮想線図示の状態とする。この状態から、ロックピン１２をバネ手段１４の付勢力に抗し引き上げてロック解除位置Ｋからロック位置Ｌへスライドさせることにより、ロックピン１２をロック位置Ｌにロックして、手掛かり棒５を折畳姿勢に固定する。この状態は、図４及び図７の仮想線図示の通りである。
【００２７】
以上説明した作業台によれば、簡単な構造で上下方向の溝部８を形成した取付金具６に手掛かり棒５の下端５ｏを上下方向回転可能に枢着し、この手掛かり棒５の下端部に設けたロックピン１２を上下にスライド操作することによって、手掛かり棒５起立直姿勢の使用位置に簡単容易に固定することができると共に、折畳姿勢での収納位置に簡単容易に固定することができる。
【００２８】
また、この作業台にあっては、ロックピン１２は、手掛かり棒５の下端部５ａに設けたロック位置Ｌ及びロック解除位置Ｋにおいて、ロックピン１２を挟持するバネ手段１４で位置保持され、このバネ手段１２の付勢力に抗してロックピン１２を上下に押し引きすることによってロック位置Ｌとロック解除位置Ｋとの間でスライド可能となっているから、ロックピン１２が、ロック位置Ｌとロック解除位置Ｋとの間を不測にスライドするようなことがなく、手掛かり棒５を使用位置及び収納位置で確実に固定できて、使用上の十分な安全を確保することができる。
【符号の説明】
【００２９】
１            天板
２            脚体
２ａ          脚柱
５            手掛かり棒
５ｏ          手掛かり棒の下端
５ａ          手掛かり棒の下端部
６            取付金具
８            溝部
Ａ            溝部の上半部
Ｂ            溝部の下半部
９，１０      切欠部
１１          枢支軸
１２          ロックピン
Ｌ            ロック位置
Ｋ            ロック解除位置
【図１】
0005457111.tif 000002
【図２】
0005457111.tif 000003
【図３】
0005457111.tif 000004
【図４】
0005457111.tif 000005
【図５】
0005457111.tif 000006
【図６】
0005457111.tif 000007
【図７】
0005457111.tif 000008
【図８】
0005457111.tif 000009